(57)【要約】【課題】  電子写真印刷機の現像システムにおけるカラートナー濃度の測定を提供する。【解決手段】  トナーとキャリアとからなる現像剤を含む光学システムにより、現像剤ハウジングにおけるトナー濃度を検出する。光学システムにより、現像剤ハウジングの視界窓を通して、光をハウジング内の現像剤上に射出する。この光は、トナーのカラーに基づいて所定の波長を有する。光学センサにより、サンプルから反射された光を検出し、サンプルから反射された光に基づいて、サンプルのトナー濃度を求める。第２カラートナーの場合、第２の所定の波長で光を射出する。【選択図】          図３
2005018060.tif 000002
【特許請求の範囲】
【請求項１】
カラー画像を生成するための電子写真式カラー印刷機であって、
画像を画像形成部材上に記録するための手段と、前記画像を現像するための第１現像ユニットと、前記画像を現像するための第２現像ユニットとを備え、
前記第１現像ユニットは、第１のカラートナーとキャリア材料とからなる、一定の量の現像剤を貯蔵できるサンプと、該サンプから現像剤を移送する部材とを含み、前記サンプには、中の現像剤を見通せる視界窓と、光学センサと、前記視界窓及び前記現像剤から反射した光を測定する装置と、前記サンプ内のトナー濃度を表示する信号を生成するための手段とが設けられ、前記光学センサは、光源と光検出器とを含み、前記光源は前記第１カラートナーに基づいて第１の所定の波長で光を射出するようになっており、
前記第２現像ユニットは、第２のカラートナーとキャリア材料とからなる、一定の量の現像剤を貯蔵できるサンプと、前記サンプから現像剤を移送する部材とを含み、前記サンプには、中の現像剤を見通せる視界窓と、光学センサと、前記視界窓及び前記現像剤から反射する光を測定する装置と、前記サンプ内のトナー濃度を表示する信号を生成するための手段とが設けられ、前記光学センサは、光源と光検出器とを含み、前記光源は、前記第２カラートナーに基づいて第２の所定の波長で光を射出するようになっている、
ことを特徴とする電子写真式カラー印刷機。
【請求項２】
トナーと現像剤とからなるサンプルのトナー濃度を求める方法であって、
前記トナーのカラーに基づく所定の波長で光を射出してサンプルを光に露光させ、
光学センサにより、前記サンプルから反射された光を検出し、
前記サンプルから反射された光に基づいて該サンプルのトナー濃度を求める、
ことからなることを特徴とする方法。
【請求項３】
請求項２に記載の方法において、前記露光は、前記トナーのカラーがシアンである場合には、４００ｎｍ〜５００ｎｍの間であるか、又は、７５０ｎｍ〜８５０ｎｍの間の、所定の波長を選択して行う、ことを特徴とする方法。
【発明の詳細な説明】
【技術分野】
【０００１】
本発明は、一般に印刷機に関し、より具体的には、電子写真印刷機の現像システムにおけるカラートナー濃度の光学的測定を行う方法及び装置に関する。
【背景技術】
【０００２】
代表的な電子写真印刷法において、光導電性部材は、その表面を感光性にするために、ほぼ均一の電位に帯電される。光導電性部材の帯電された部分は、複製されようとしている原稿書類の光像に露光される。帯電された光導電性部材の露光は、照射区域における電荷を選択的に放散する。これにより、原稿書類内に含まれる情報区域に応じて、静電潜像が光導電性部材上に記録される。静電潜像が光導電性部材上に記録された後、この静電潜像は、現像剤を接触させることによって現像される。一般的に、現像剤は、キャリア粒子と摩擦電気的にキャリア粒子に付着しているトナー粒子とを含む。トナー粒子は、キャリア粒子から潜像に吸引され、光導電性部材上にトナーパウダー像を形成する。トナーパウダー像は次に、光導電性部材からコピーシートに転写される。トナー粒子は、パウダー像を永久にコピーシートに定着させるために加熱される。各々の転写処理の後、光導電体上に残っているトナーは、クリーニング装置によって清掃される。
【０００３】
前述の形式の機械において、現像剤の摩擦帯電特性（tribo）を究極的に制御するために、トナー粒子の現像剤への追加を調節することが望ましい。しかしながら、現像剤の摩擦帯電特性を制御することは、一般的に、現像剤内のトナー濃度の関数であると考えられる。したがって、実用的な目的のために、前述の形式の機械では、通常、現像剤におけるトナー粒子濃度の制御を試みている。
【発明の開示】
【発明が解決しようとする課題】
【０００４】
トナーの摩擦帯電は、現像及び転写において、非常に「重要なパラメータ」である。一定の摩擦帯電が、理想的な場合である。残念ながら、これは時間と環境の変化に伴って変化する。摩擦帯電は、２成分現像剤システムにおいて、トナー濃度（ＴＣ）とほぼ反比例しているため、摩擦帯電の変化は、トナー濃度の制御によって補償することができる。
【０００５】
トナー濃度は従来、トナー濃度（ＴＣ）センサ（以下、ＴＣセンサという）によって測定されている。ＴＣセンサの問題は、それが高価で、あまり正確ではなく、信号雑音比の劣る間接的な測定技術に頼ることである。
【課題を解決するための手段】
【０００６】
本発明によれば、トナーと現像剤とからなるサンプルのトナー濃度を求める装置及び方法が提供される。トナーのカラーに基づいて所定の波長で光を射出してサンプルを光に露光させ、光学センサにより、サンプルから反射された光を検出し、該ンプルから反射された光に基づいて、該サンプルのトナー濃度を求める。
【発明を実施するための最良の形態】
【０００７】
本発明は、その好ましい実施形態に関連して説明されるが、本発明はその実施形態に制限されるものではないことが明らかである。反対に、特許請求の範囲によって定義される本発明の精神及び範囲内に含まれる、すべての選択肢、修正及び均等物を含むことが意図されている。
【０００８】
本発明の特徴を一般的に理解するために、図面が参照される。図面において、同一の要素を表すために、同じ参照数字が全体にわたって使用されている。図１は、本発明の特徴を組み込む電子写真式印刷機を図式的に示す。本発明のトナー制御装置は、広範囲の装置に用いることができ、ここに示される特定の実施形態への適用に特別に制限されるものではないことが、次の説明から明らかになるであろう。
【０００９】
図１を参照すると、出力管理システム６６０は、プリントジョブをプリント制御装置６３０に供給することができる。プリントジョブは、出力管理システムクライアント６５０から出力管理システム６６０に送られることになる。ピクセルカウンタ６７０は、出力管理システム６６０に組み込まれて、各々の色について、トナーによりジョブの各々のシート又はページ上に画像形成されるべきピクセル数を数える。ピクセルカウント情報は、出力管理システムメモリに格納される。出力管理システム６６０は、ピクセルカウントデータを含むジョブ制御情報及びプリントジョブをプリント制御装置６３０に送る。ピクセルカウントデータを含むジョブ制御情報、及び、デジタル画像データは、プリント制御装置６３０から制御装置４９０に伝達される。
【００１０】
印刷システムは、種々のゼログラフ処理ステーションを通して連続して進むために、矢印４１２により示される方向の運動をするアクティブマトリックス（ＡＭＡＴ）と呼ばれる感光体ベルト４１０の形態である電荷保持表面を用いることが好ましい。感光体ベルトは、駆動ローラ４１４、緊張ローラ４１６、及び固定ローラ４１８の周りで移動し、駆動ローラ４１４は、ゼログラフステーションを通るベルトの運動を与えるために、駆動モータ４２０に作動的に連結されている。ベルト４１０の一部は、コロナ生成装置４２２が、感光体ベルト４１０の光導電性表面を、比較的高い、ほぼ均一で、好ましくは負の電位に帯電する帯電ステーションＡを通る。
【００１１】
次に、光導電性表面の帯電した部分は、画像形成／露光ステーションＢを通って進む。画像形成／露光ステーションＢでは、全体を参照番号４９０により示される制御装置が、所望の出力画像を表すプリント制御装置６３０からの画像信号を受け取って、これらの信号を、レーザをベースにした出力走査装置に送られる信号に変換するように処理し、走査装置からの出力に従って電荷保持表面が放電されるようにする。走査装置はレーザラスタ出力スキャナ（ＲＯＳ）４２４であることが好ましい。或いは、ＲＯＳ４２４はＬＥＤアレイのような他のゼログラフ露光装置と入れ替えることができる。
【００１２】
初めに電圧Ｖ0に帯電される感光体ベルト４１０は、約−５００ボルトに等しいレベルにまで暗減衰を生じる。露光ステーションＢで露光されると、これは約−５０ボルトに等しいレベルに放電される。このように、露光の後、感光体ベルト４１０は、高電圧及び低電圧の単極電圧特性を含み、前者は帯電領域に対応し、後者は放電領域又はバックグラウンド領域に対応する。
【００１３】
第１の現像ステーションＣでは、ハイブリッド現像システム、すなわちドナーローラとして周知の現像剤ローラを用いる現像剤構造体４３２が、２つの現像電界（エアギャップの間の電位）により駆動される。第１の電界はトナークラウド生成に用いられるＡＣ電界である。第２の電界は感光体ベルト４１０上に現像されるトナーの量を制御するのに用いられるＤＣ現像電界である。トナークラウドは、帯電されたトナー粒子４２６が静電潜像に吸引されるようにする。適切な現像バイアスが電源を介して印加される。この形式のシステムは、トナー粒子（例えば、ブラック）だけが潜像に吸引される非接触式のものであり、感光体ベルト４１０とトナー送給装置との間には、以前に現像されたが定着されていない画像を乱すような機械的な接触がない。トナー濃度センサ１００は、現像剤構造４３２におけるトナー濃度を検出する。
【００１４】
その後、現像されたが固着されていない画像は、第２の帯電装置４３６を通過し、感光体ベルト４１０及び以前に現像されたトナー画像領域が、所定のレベルにまで再帯電される。
【００１５】
第２の露光／画像形成は、第２のカラートナーにより現像されるべき画像に従って、トナーの付いた領域及び／又はむき出しの領域上で、感光体ベルト４１０を選択的に放電するのに用いられるレーザをベースにした出力構造体を含む装置４３８により実行される。この時点では、感光体ベルト４１０は、比較的高い電圧レベルで、トナーの付いた領域及び色の付いていない領域、及び、比較的低い電圧レベルで、トナーの付いた領域及び色の付いていない領域を含む。これらの低い電圧領域は、放電領域現像（ＤＡＤ）を用いて現像された画像領域を示す。このために、負に帯電された、カラートナーを含む現像剤４４０が用いられる。一例としてイエローとすることができるトナーは、第２の現像剤ステーションＤに配設される現像剤ハウジング構造体４４２に含まれ、第２の現像剤システムにより感光体ベルト４１０上の潜像に与えられる。電源（図示せず）は、負に帯電されたイエローのトナー粒子４４０により、放電された画像領域を現像するのに有効なレベルにまで、現像剤構造を電気的にバイアスする。さらに、トナー濃度センサ１００は、現像剤ハウジング構造４４２におけるトナー濃度を検出する。
【００１６】
上述の手順は、マゼンタ（ステーションＥ）のような第３の好適なカラートナーのための第３の画像、及びシアン（ステーションＦ）のような好適なカラートナーのための第４の画像に対して繰り返される。以下で説明される露光制御方式は、これらの後続する画像形成段階に用いることができる。この方法により、フルカラーの複合トナー像が、感光体ベルト４１０上に現像される。さらに、質量センサ１１０は、単位面積当たりの現像された質量を測定する。図４においては、１つの質量センサの１１０のみが示されるが、１つより多い質量センサ１１０があってもよい。
【００１７】
幾らかのトナー帯電が完全に中和されるか、又は、極性が反転し、したがって、感光体ベルト４１０上に現像された複合像が正及び負のトナーの両者により構成される場合に、正のコロナ放電を用いて基板に対する効果的な転写が行われるようにするために、トナーを調整する負極性の転写前コロトロン部材４５０が設けられる。
【００１８】
画像の現像に続き、支持材料のシート４５２が転写ステーションＧにおけるトナー像と接触するように移動される。以下に詳細に説明するように、支持材料のシート４５２は、シート供給装置５００により転写ステーションＧに進められる。その後、支持材料のシート４５２は、時間系列において感光体ベルト４１０の光導電性表面と接触するようにされて、その上で現像されたトナーパウダー像が、転写ステーションＧにおいて、前進する支持材料のシート４５２と接触するようにする。
【００１９】
転写ステーションＧは、シート４５２の裏面に陽イオンを吹き付ける転写コロトロン４５４を含む。これにより、負に帯電されたトナーパウダー像が、感光体ベルト４１０からシート４５２に吸引される。分離用コロトロン４５６が、シートが感光体ベルト４１０から剥がれるのを助長するために設けられている。
【００２０】
転写後、支持材シート４５２は、シートを定着ステーションＨに進めるコンベア（図示せず）上で、矢印４５８の方向に移動を続ける。定着ステーションＨは、定着アセンブリ４６０を含み、定着アセンブリは、転写されたパウダー像を永久にシート４５２に付着させる。定着器アセンブリ４６０は、加熱された定着器ローラ４６２とバックアップすなわち加圧ローラ４６４とを備えることが好ましい。シート４５２は、トナーパウダー像が定着器ローラ４６２に接触している状態で、定着器ローラ４６２とバックアップローラ４６４との間を通過する。この方法により、トナーパウダー像は、シート４５２に永久に定着される。定着の後、後続するオペレータによる印刷機からの除去のために、図示されていないが、シュートが、前進するシート４５２をキャッチトレイ、スタッカ、仕上げ機その他の出力装置（図示せず）に導く。
【００２１】
支持材料のシート４５２が感光体ベルト４１０の光導電性表面から分離された後、光導電性表面の非画像領域により運ばれる残りのトナー粒子が、そこから取り除かれる。これらの粒子は、クリーニングステーションＩにおいて、ハウジング４６６に含まれるクリーニングブラシ又は複数のブラシ構造体を用いて取り除かれる。クリーニングブラシ４６８又は複数のクリーニングブラシ４６８は、複合トナー像がシートに転写された後に係合させられる。感光体ベルト４１０がクリーニングされると、ブラシ４６８は、クラッチ（図示せず）を組み込んだ装置を用いて引込められ、次の画像形成及び現像サイクルが開始できるようになる。
【００２２】
制御装置４９０は、種々のプリンタの機能を調節する。制御装置４９０は、上に述べられたプリンタの機能を制御する、プログラム可能な制御装置であることが好ましい。制御装置４９０は、コピーシートのカウント、再循環されている書類の数、オペレータによって選択されるコピーシートの数、時間遅延、紙詰まりの修正などについての比較を与えることができる。これまでに説明されたすべての例示的なシステムの制御は、通常の、オペレータによって選択される、印刷機コンソールからの制御スイッチ入力によって達成できる。通常のシート通路センサ又はスイッチは、書類及びコピーシートの位置を把握するために利用することができる。
【００２３】
現像剤ステーションについて、図２を参照するが、図１に示す各現像剤ステーションは実質的には同一のものであるので、簡単にするために、図２では１つの現像剤ステーションについて詳細に説明する。図２において、矢印６８の方向、感光体ベルトと「反対」の方向に回転しているドナーローラ４０が示される。同様に、磁気ローラ４６はドナーローラ４０の運動の方向に対して「同じ」或いは「反対」のいずれかの方向に回転させることができる。図２において、矢印９２の方向、すなわちドナーローラ４０と「同じ」方向に回転している磁気ローラ４６が示される。現像剤ユニット３８は、さらに、光導電性ベルト１０とドナーローラ４０との間の空間に配設される、電極ワイヤ４２も含む。一対の電極ワイヤ４２は、ドナーローラ４０の縦軸とほぼ平行の方向に延びるように示される。この電極ワイヤ４２は、ドナーローラ４０から僅かに離れて配設される、１つ又はそれ以上の細い（すなわち直径５０から１００μ）ワイヤ（例えば、ステンレス鋼或いはタングステン製）から作られる。電極ワイヤ４２とドナーローラ４０との間の距離は、おおよそ２５μ、或いはドナーローラ４０上のトナー層の厚さである。電極ワイヤ４２は、ドナーローラ４０上のトナーの厚さだけドナーローラ４０から離れている。この目的のために、端部軸受ブロックの上部によって支持される電極ワイヤ４２の先端は、さらに、ドナーローラ４０をも回転自在に支持する。電極ワイヤ４２の端部は、ドナーローラ４０の表面の接線より１０から３０ミクロンだけ上方に、正確に位置させられることになる。
【００２４】
図２を続けて参照すると、交流バイアスがＡＣ電源７８によって電極ワイヤ４２に印加されている。印加されたＡＣは、電極ワイヤ４２とドナーローラ４０との間に、ドナーローラ４０の表面からトナーを引き離し、ワイヤの周りにトナークラウドを形成するのに有効な交流静電界を確立するが、クラウドの高さは光導電性ベルト１０と実質的に接触しないようにする。ＡＣ電圧の大きさは、約３ｋＨｚから約１０ｋＨｚの範囲に及ぶ周波数において、２００ボルトから最大５００ボルトのオーダーである。ほぼ３００ボルトをドナーローラ４０に印加するＤＣバイアス電源８１が、引き離されたトナー粒子を、電極ワイヤ４２を取り囲むクラウドから光導電性面１２上に記録された潜像に吸引するために、ベルト１０の光導電性面とドナーローラ４０との間に静電界が形成される。電極ワイヤ４２とドナーローラ４０との間の、約１０μ（ミクロン）から約４０μ（ミクロン）の範囲に及ぶ空間において、印加された２００から５００ボルトの電圧は、空気の絶縁破壊の危険なしで、比較的大きな静電界を生成する。電極ワイヤ４２又はドナードーラ４０のいずれかに誘電性被覆を使用すると、印加されたＡＣ電圧の漏電を防ぐことの助けとなる。
【００２５】
磁気ローラ４６は、ほぼ一定の電荷を有する一定量のトナーを、ドナーローラ４０上に計量供給する。これにより、本発明によって維持されるほぼ一定の電荷を有するトナーの一定量を、トナーローラにより現像間隙に与えることを確実にする。
【００２６】
磁気ローラ４６にほぼ１００ボルトを印加するＤＣバイアス電源８４は、磁気ローラ４６とドナーローラ４０との間に静電界を確立し、ドナーローラ４０と磁気ローラ４６との間に静電界が確立され、それによりトナー粒子が磁気ローラ４６からドナーローラ４０へ吸引されるようになる。
【００２７】
光学センサ２００は、ハウジング４４と視覚的に連通している透明視界窓２１０に隣接して配置される。透明視界窓２１０は、現像剤がオーガの近くでよく混合され、磁気ローラ４６に補給される個所に配置することが好ましく、それにより、ハウジング４４の全体を表すトナー濃度を得ることができる。
【００２８】
光学センサ２００は、透明視界窓２１０の表面に隣接して配置される。透明視界窓２１０の上にあるトナーが照明される。光学センサ２００は、透明視界窓２１０及び透明視界窓２１０上のトナーにおいて反射され、光学センサ２００によって受けられた電磁エネルギーに応じて、比例的電気的信号を生成する。図３はその測定方法を示している。前記電気的信号に応答して、トナー濃度の量を計算することができる。
【００２９】
光学センサ２００は、透明視界窓２１０上の現像剤において反射する、鏡面反射及び拡散反射の電磁エネルギー信号を検出する。光学センサ２００は、引用によりここに組み入れられる米国特許第４，９８９，９８５号、及び、第５，５１９，４９７号において説明されるような、基板に置かれた材料の密度により反射される鏡面反射及び拡散反射の電磁エネルギー信号の両方を検出し、分析することによって、基板上に配置される材料密度を測定する、最適化された色濃度計（ＯＣＤ）のような、拡張トナー領域適用センサ（ＥＴＡＣＳ）型の赤外線濃度計（ＩＲＤ）に用いられる形式であることが好ましい。光学センサ２００は、透明視界窓２１０の表面に隣接して配置される。透明視界窓２１０上のトナーは照明される。光学センサ２００は、透明視界窓２１０及び透明視界窓２１０上の現像剤において反射され、光学センサ２１０によって受けられた電磁エネルギーに応じて、比例的電気的信号を生成する。トナー濃度の量は、この信号に応じて制御装置２１５によって計算することができる。
【００３０】
本発明は、各々のＣＭＹＫ現像剤の光学スペクトルには、％ＴＣの関数としてより大きな変化を示す特定の領域があるという事実を用い、したがって、現像剤をこれらの領域と適合する特定のカラー光で照明することにより、単位エネルギ入力当たりの％ＴＣの変化に対する応答性の増加、及び、装置を簡単なものに維持すること及び経費の大幅な削減の両方を達成することができるという現像剤ハウジングにおける％ＴＣレベルを推定する光学的手法を用いる。
【００３１】
ＬＥＤ励起源は、シアンについては４００ｎｍないし５００ｎｍ又は７５０ｎｍないし８５０ｎｍの範囲、イエローについては５００ｎｍないし８００ｎｍ、マゼンタについては６００ｎｍないし８００ｎｍの範囲、ブラックについては８００ｎｍないし１０００ｎｍの範囲でピーク波長を有して、各々の現像剤ハウジングにおいて、最も高い応答性を与えることが分かった。この場合においては、現像剤ハウジング内の１つのトナーがカスタムカラーになり、該カスタムカラーがあるカラー空間に好適な波長Ｙ、Ｃ、Ｍ、Ｋを用いることができることが明らかである。
【００３２】
図４、図５、図６、及び図７は、シアン、イエロー、及びマゼンタの現像剤の光学スペクトルのそれぞれの変化を、３ないし５％ＴＣ範囲において、％ＴＣの関数として示す。意図的に予測され、図４ないし図７に示されるように、シアン、イエロー、及びマゼンタの変化は、４００ないし５００ｎｍ、５００ないし８００ｎｍ、及び６００ないし８００ｎｍの領域でより大きい。図７は、ブラックのＫ−現像剤及びキャリアの光学スペクトルを示す。この図は、Ｋ−トナーの光学スペクトルは、ほぼ平らであり、キャリアは、増加する波長によって増加する応答性を示し、Ｋ−％ＴＣの変化に対する応答は、ＩＲにおいてより大きくなることが大いに示唆され、すなわち、Ｋ−現像剤ハウジングにおいては、キャリアの光学的応答を測定し、この測定値から、トナー濃度が計算される。
【００３３】
本発明は、デジタルカラープリンタのための２成分現像剤システムにおける％ＴＣを正確に求める方法、手段、及び手順を教示する。この方法は、以下のようなハードウェア及びソフトウェアの成分で構成される。
【００３４】
各センサについてのＬＥＤ源は、各現像剤ハウジングに適合する波長を有する。これらの励起源は、（ａ）シアンについては４００ｎｍないし５００ｎｍ又は７５０ｎｍないし８５０ｎｍ、（ｂ）イエローについては５００ｎｍないし８００ｎｍ、（ｃ）マゼンタについては６００ｎｍないし８００ｎｍ、及び（ｄ）ブラックについては８００ｎｍないし１０００ｎｍの範囲におけるピーク波長を有するものとする。
【００３５】
図９は、ほぼ５％ＴＣにおけるシアン、イエロー、及びマゼンタの現像剤についての標準化反射率であり、３つのＬＥＤ源の標準化スペクトル応答性は、４７０ｎｍ、５６５ｎｍ、及び６６０ｎｍ（トップパネル）であり、ＬＥＤピーク波長と関連するトナーのスペクトル領域との適合を示している。
【００３６】
図４ないし図９に示されるデータは、以下のように、提案された光学的％ＴＣセンサの応答性を定める成分を与える（幾つかの定数の他のものは、以下を参照のこと）。
【数１】
2005018060.tif 000003
ここで、
ｉ＝Ｃ、Ｍ、Ｙ、Ｋ
ＲPDは、フォトダイオードの標準化スペクトル応答性である。
Ｅｉは、ｉＬＥＤの標準化スペクトル密度である。図８は、Ｓｉフォトダイオード及び４つのＬＥＤについてのＲＰＤを波長の関数として示す。
Ｃiは、（ａ）光路係数、（ｂ）フォトダイオードのピーク応答性、（ｃ）ＬＥＤのピーク応答性、（ｄ）反射率から％ＴＣへの変換係数を含む定数、などである。これらの係数は、Ｓ／Ｎ比、装置費用などによって最適化できる。
【００３７】
計算の結果は、図１０に示される。次に、各々の特定の現像剤及びＬＥＤエミッタのセットに対して、方程式は以下のようにすることができ、
％ＴＣ＝Ｋi×Ｖi  （２）
ここで、Ｋiは特定のセットについてのすべてのパラメータを含む定数であり、Ｖｉはフォトダイオードによる電圧測定値である。
【００３８】
まとめとして、カラー画像を生成する、電子写真カラー印刷機が提供された。この電子写真カラー印刷機は、画像を画像形成部材上に記録する画像形成システムを包含し、この画像形成システムは、画像を画像形成部材上に記録するための手段と、画像を現像するための第１現像ユニットと、画像を現像するための第２現像ユニットとを備え、第１現像ユニットは、第１のカラートナーとキャリア材料とからなる、一定の量の現像剤を貯蔵できるサンプ（ハウジング）と、サンプから現像剤を移送する部材とを含み、サンプには、中の現像剤を見通せる視界窓と、光学センサと、視界窓及び現像剤から反射した光を測定する装置と、サンプ内のトナー濃度を表示する信号を生成するための手段とが設けられ、光学センサは、光源と光検出器とを含み、光源は第１カラートナーに基づいて第１の所定の波長で光を射出するようになっており、第２現像ユニットは、第２のカラートナーとキャリア材料とからなる、一定の量の現像剤を貯蔵できるサンプと、サンプから現像剤を移送する部材とを含み、サンプには、中の現像剤を見通せる視界窓と、光学センサと、視界窓及び現像剤から反射する光を測定する装置と、サンプ内のトナー濃度を表示する信号を生成するための手段とが設けられ、光学センサは、光源と光検出器とを含み、光源は、第２カラートナーに基づいて第２の所定の波長で光を射出するようになっている。
【００３９】
したがって、本発明により、これまでに述べられた目的及び利点を完全に満足させるものが提供されたことが明らかである。本発明を、特定の実施形態と関連して述べたが、多くの代替的手法、修正、及び変形が当業者に明らかなことが明白である。したがって、特許請求の範囲の精神及び広広義の範囲に含まれるすべてのこのような代替的手法、修正、及び変形を含むことが意図される。
【図面の簡単な説明】
【００４０】
【図１】内部のトナー維持管理システムを用いる、典型的な電子写真印刷機の概略正面図である。
【図２】本発明を用いる、現像システムの概略正面図である。
【図３】本発明において提案される、測定方法を示す光学的％ＴＣ感知装置の説明図である。
【図４】種々のトナー及びキャリアについて、トナー濃度の応答性の依存性を波長の関数として示すグラフである。
【図５】種々のトナー及びキャリアについて、トナー濃度の応答性の依存性を波長の関数として示すグラフである。
【図６】種々のトナー及びキャリアについて、トナー濃度の応答性の依存性を波長の関数として示すグラフである。
【図７】種々のトナー及びキャリアについて、トナー濃度の応答性の依存性を波長の関数として示すグラフである。
【図８】ピーク波長が４７０ｎｍ、５６５ｎｍ、６６０ｎｍ、及び７９０ｎｍの４つのＬＥＤ源の標準化スペクトル応答性、及び％ＴＣシアン、イエロー、及びマゼンタの現像剤を求めるための計算に用いられるＳｉフォトダイオード検出器の標準化スペクトル応答性を示すグラフである。
【図９】特定のＬＥＤと、５％ＴＣでのシアン、イエロー及びマゼンタの現像剤の関連するスペクトル領域との適合を示す、グラフである。
【図１０】種々のＬＥＤ源を用いて、シアン、マゼンタ、イエローの現像剤の％ＴＣの計算及び線形適合度の結果を示す図である。ここで、菱形プロットはピーク波長７９０ｎｍのＬＥＤをもつシアンの現像剤、正方形プロットはピーク波長４７０ｎｍのＬＥＤをもつシアンの現像剤、三角形プロットはピーク波長６６０ｎｍのＬＥＤをもつマゼンタの現像剤、円プロットはピーク波長５６５ｎｍのＬＥＤをもつイエローの現像剤を、それぞれ表している。
【図１１】９４０ｎｍのピーク波長において、赤外線（ＩＲ）  ＬＥＤ源を用いてブラックの現像剤の％ＴＣを測定した結果を示すグラフである。
【図１２】シアン、マゼンタ、イエロー、及びブラックの現像剤についての試作装置の光学的％ＴＣ測定の実験的な結果（表示％ＴＣ読み取り値）を示すグラフである。
【符号の説明】
【００４１】
１０：光導電性ベルト
４０：ドナーローラ
３８：現像剤ユニット
４２：電極ワイヤ
４４：ハウジング
４６：磁気ローラ
７８：ＡＣ電源
８１：ＤＣバイアス電源
１００：トナー濃度センサ
２１０：透明視界窓
２００：光学センサ
４１０：感光体ベルト
【図１】
2005018060.tif 000004
【図２】
2005018060.tif 000005
【図３】
2005018060.tif 000006
【図４】
2005018060.tif 000007
【図５】
2005018060.tif 000008
【図６】
2005018060.tif 000009
【図７】
2005018060.tif 000010
【図８】
2005018060.tif 000011
【図９】
2005018060.tif 000012
【図１０】
2005018060.tif 000013
【図１１】
2005018060.tif 000014
【図１２】
2005018060.tif 000015